(57)【要約】【課題】  地図上に描画されたメモを一覧表示すること。【解決手段】  制御装置１０５は、使用者によってタッチパネル１０６ａが操作され、モニタ１０６に表示した地図上にメモが描画された場合には、描画されたメモの画像データを、そのメモが描画された地図上の地点情報と対応付けてメモデータとしてメモリ１０７に記憶する。そして、使用者によってメモ一覧ボタンがタッチされた場合には、メモリ１０７に記憶したメモデータをモニタ１０６上に一覧表示する。【選択図】      図１
2006276704.tif 000002
【特許請求の範囲】
【請求項１】
タッチパネルを搭載したモニタを備え、モニタに表示した地図上にメモを描画することができる地図表示装置であって、
使用者によって地図上に描画されたメモの画像データを、そのメモが描画された地図上の地点情報と対応付けてメモデータとして記憶する記憶手段と、
前記記憶手段に記憶したメモデータを前記モニタに表示する表示手段とを備えることを特徴とする地図表示装置。
【請求項２】
請求項１に記載の地図表示装置において、
前記表示手段は、前記記憶手段に記憶した複数のメモデータを前記モニタに一覧表示することを特徴とする地図表示装置。
【請求項３】
請求項２に記載の地図表示装置において、
前記表示手段で前記モニタに一覧表示されたメモデータのうち、使用者によって指定されたメモデータを、前記記憶手段から削除し、前記モニタに表示した一覧から消去する消去手段をさらに備えることを特徴とする地図表示装置。
【請求項４】
請求項２に記載の地図表示装置において、
前記表示手段で前記モニタに一覧表示されたメモデータのうち、使用者によって指定されたメモデータを、前記記憶手段に記憶したまま、前記モニタに表示した一覧から消去する消去手段をさらに備えることを特徴とする地図表示装置。
【請求項５】
請求項２〜４のいずれか一項に記載の地図表示装置において、
自車両の現在位置を検出する現在位置検出手段をさらに備え、
前記表示手段は、前記メモデータに含まれる地点情報に基づいて、前記現在位置検出手段で検出した自車両の現在位置から近い地点上に描画されたメモデータが、上から順番に並ぶように一覧表示することを特徴とする地図表示装置。
【請求項６】
請求項１〜５のいずれか一項に記載の地図表示装置において、
前記地点情報は、メモが描画された地点の緯度経度情報、および地点名を含むことを特徴とする地図表示装置。
【発明の詳細な説明】
【技術分野】
【０００１】
本発明は、地図を表示する地図表示装置に関する。
【背景技術】
【０００２】
次のようなナビゲーション装置が特許文献１によって知られている。このナビゲーション装置では、使用者によってタッチパネル操作によって描画されたメモを文字認識して記憶し、記憶した文字認識結果を一覧表示する。
【０００３】
【特許文献１】特開２００３−１６６８４３号公報
【発明の開示】
【発明が解決しようとする課題】
【０００４】
しかしながら、従来のナビゲーション装置によれば、使用者によって描画されたメモを文字認識してから記憶して一覧表示するため、文字が描画される度に文字認識処理を行う必要があり、処理の負荷が重くなるという問題が生じていた。
【課題を解決するための手段】
【０００５】
請求項１に記載の発明は、タッチパネルを搭載したモニタを備え、モニタに表示した地図上にメモを描画することができる地図表示装置であって、使用者によって地図上に描画されたメモの画像データを、そのメモが描画された地図上の地点情報と対応付けてメモデータとして記憶する記憶手段と、記憶手段に記憶したメモデータをモニタに表示する表示手段とを備えることを特徴とする。
請求項２に記載の発明は、請求項１に記載の地図表示装置において、表示手段は、記憶手段に記憶した複数のメモデータをモニタに一覧表示することを特徴とする。
請求項３に記載の発明は、請求項２に記載の地図表示装置において、表示手段でモニタに一覧表示されたメモデータのうち、使用者によって指定されたメモデータを、記憶手段から削除し、モニタに表示した一覧から消去する消去手段をさらに備えることを特徴とする。
請求項４に記載の発明は、請求項２に記載の地図表示装置において、表示手段でモニタに一覧表示されたメモデータのうち、使用者によって指定されたメモデータを、記憶手段に記憶したまま、モニタに表示した一覧から消去する消去手段をさらに備えることを特徴とする。
請求項５に記載の発明は、請求項２〜４のいずれか一項に記載の地図表示装置において、自車両の現在位置を検出する現在位置検出手段をさらに備え、表示手段は、メモデータに含まれる地点情報に基づいて、現在位置検出手段で検出した自車両の現在位置から近い地点上に描画されたメモデータが、上から順番に並ぶように一覧表示することを特徴とする。
請求項６に記載の発明は、請求項１〜５のいずれか一項に記載の地図表示装置において、地点情報は、メモが描画された地点の緯度経度情報、および地点名を含むことを特徴とする。
【発明の効果】
【０００６】
本発明によれば、使用者によって地図上に描画されたメモの画像データを、そのメモが描画された地図上の地点情報と対応付けてメモデータとして記憶しておき、記憶したメモデータをモニタに表示するようにした。これによって、使用者によって描画されたメモの画像データをそのまま記憶するだけでよく、文字認識処理の必要がないことから処理にかかる負荷を低減することができる。
【発明を実施するための最良の形態】
【０００７】
本実施の形態では、本発明における地図表示装置として、車両に搭載されたナビゲーション装置を使用する場合について説明する。図１は、本実施の形態におけるナビゲーション装置の一実施の形態の構成を示すブロック図である。ナビゲーション装置１００は車両に搭載され、自車両の車速を検出する車速センサ１０１と、ＧＰＳ衛星からのＧＰＳ信号を受信して自車両の現在位置を検出するＧＰＳユニット１０２と、自車両の進行方向を検出するジャイロセンサ１０３と、地図データを格納する地図ディスク１０４ａを読み取るディスク読取装置１０４と、制御装置１０５と、地図やメニュー画面を表示するモニタ１０６と、後述する画像データを記憶するメモリ１０７とを備えている。モニタ１０６は、タッチパネル１０６ａを備えており、使用者はモニタ１０６上に表示された地図上に指先で文字や図形を描画することができるようになっている。
【０００８】
制御装置１０５は、図２に示すように、モニタ１０６に地図ディスク１０４ａから読み込んだ地図を表示すると共に、タッチパネル１０６ａをタッチして操作可能な描画開始ボタン２ａ、およびメモ一覧ボタン２ｂを表示する。このとき現在表示している地図に対応する地点名を地図ディスク１０４ａから読み込んで、地点名２ｃを地図上に重畳して表示する。そして、タッチパネル１０６ａからの出力に基づいて、使用者によって描画開始ボタン２ａがタッチ（押下）されたと判断した場合には、図３に示すように描画開始ボタン２ａを消去して描画終了ボタン３ａを表示する。同時にタッチパネル１０６ａの操作モードを「描画モード」に切り替えて、使用者によってタッチパネル１０６ａがタッチされていることを検出している間は、使用者の指の軌跡に合わせて文字や図形、すなわちメモを描画する。
【０００９】
図４は、使用者によってタッチパネル１０６ａが指でなぞられ、地図上の任意の地点を示すメモ４ａが描画された場合の具体例を示す図である。このように使用者によって地図上にメモ４ａが描画された後、タッチパネル１０６ａからの出力に基づいて、使用者によって描画終了ボタン３ａがタッチされたことを検出すると、「描画モード」を終了し、描画終了ボタン３ａを消去して描画開始ボタン２ａを表示する。そして、メモ４ｂの画像データをメモ４ｂが描画された地図上の地点情報、すなわちその地点の緯度経度情報、およびその地点の名称と対応付けてメモデータとしてメモリ１０７に記憶する。
【００１０】
具体的には、図５に示すように、メモ４ａの全体を含む長方形をメモ範囲５ａとして設定し、メモ範囲５ａの代表点、例えば左上の点５ｂの緯度経度情報を検出する。そして、図６に示すようなデータベース構造で、検出した緯度経度情報データ、およびメモ４ａが描画された地点における地点名２ｃと、メモ範囲５ａの画像データとを対応付けてメモリ１０７に記憶する。このように使用者によって描画されたメモのメモデータをメモリ１０７に記憶していく。
【００１１】
そして、使用者によってモニタ１０６に表示されているメモ一覧ボタン２ｂがタッチされたことを検出すると、メモリ１０７に記憶されているメモデータを読み込んで、図７に示すようなメモ一覧画面を表示する。メモ一覧画面では、メモ範囲５ａの画像データを縮小したメモアイコン７ａ、その地点名２ｃ、地図表示ボタン７ｂ、および削除ボタン７ｃが一覧表示される。
【００１２】
なお、メモリ１０７に記憶されているメモデータが１件のみの場合には、その記憶されている１件のみを表示し、複数のメモデータが記憶されている場合には、図７のように一覧表示する。このときの一覧表示の順番は、ＧＰＳユニット１０２によって検出された自車両の現在位置と、メモデータに含まれるメモ４ｂが描画された地図上の地点の緯度経度情報とに基づいて、自車両の現在位置から近いメモが上になるようにソートされて表示される。
【００１３】
このメモ一覧画面上で、使用者によって地図表示ボタン７ｂがタッチされたことを検出すると、タッチされたボタンに対応するメモの代表点の緯度経度情報に基づいて、その地点を含む範囲の地図を地図ディスク１０４ａから読み込み、代表点と、その緯度および経度が同一の地図上の地点とが一致するように地図上にメモ４ａを重畳して表示する。これによって、上述した処理で使用者が描画したメモ４ａを、使用者が描画した地点上に復元して表示することができる。また、メモ一覧画面上で使用者によって削除ボタン７ｃがタッチされたことを検出すると、タッチされたボタンに対応するメモのメモデータをメモリ１０７から削除し、メモ一覧画面上から消去する。これによって、使用者は不要となったメモを自由に削除することが可能となる。
【００１４】
図８は、本実施の形態におけるナビゲーション装置１００の動作を示すフローチャートである。図８に示す処理は、車両のイグニションスイッチがオンされてナビゲーション装置１００の電源がオンされると起動するプログラムとして制御装置１０５により実行される。ステップＳ１０において、地図ディスク１０４ａから地図データを読み込んでモニタ１０６上に表示して、ステップＳ２０へ進む。ステップＳ２０では、モニタ１０６に表示した地図上に図２で上述した描画開始ボタン２ａ、メモ一覧ボタン２ｂ、および地点名２ｃを表示する。その後、ステップＳ３０へ進む。
【００１５】
ステップＳ３０では、使用者によって描画開始ボタン２ａがタッチされたことを検出したか否かを判断する。使用者によって描画開始ボタン２ａがタッチされたことを検出しないと判断した場合には、後述するステップＳ１１０へ進む。一方、使用者によって描画開始ボタン２ａがタッチされたことを検出したと判断した場合には、ステップＳ４０へ進む。ステップＳ４０では、図３で上述したようにモニタ１０６に表示した地図上から描画開始ボタン２ａを消去し、代わりに描画終了ボタン３ａを表示してステップＳ５０へ進む。
【００１６】
ステップＳ５０では、タッチパネル１０６ａの操作モードを「描画モード」に切り替えて、使用者によってタッチパネル１０６ａがタッチされていることを検出している間は、使用者の指の軌跡に合わせてメモを描画する。その後、ステップＳ６０へ進み、使用者によって描画終了ボタン３ａがタッチされたことを検出したか否かを判断する。使用者によって描画終了ボタン３ａがタッチされたことを検出したと判断した場合には、ステップＳ７０へ進む。ステップＳ７０では、モニタ１０６に表示した地図上から描画終了ボタン３ａを消去し、代わりに描画開始ボタン２ａを表示してステップＳ８０へ進む。
【００１７】
ステップＳ８０では、図５で上述したように、使用者によって描画されたメモ４ａの全体を含む長方形をメモ範囲５ａとして設定してステップＳ９０へ進む。ステップＳ９０では、メモ範囲５ａ上に代表点を設定し、設定した代表点における緯度経度情報を検出する。その後、ステップＳ１００へ進み、検出した緯度経度情報データ、およびメモ４ａが描画された地点における地点名２ｃと、メモ範囲５ａの画像データとを対応付けて、メモデータとしてメモリ１０７に記憶する。その後、後述するステップＳ１７０へ進む。
【００１８】
次に、ステップＳ３０で使用者によって描画開始ボタン２ａがタッチされたことを検出しないと判断した場合の処理について説明する。この場合には、上述したようにステップＳ１１０へ進む。ステップＳ１１０では、使用者によってメモ一覧ボタン２ｂがタッチされたことを検出したか否かを判断する。使用者によってメモ一覧ボタン２ｂがタッチされたことを検出しないと判断した場合には、後述するステップＳ１７０へ進む。一方、使用者によってメモ一覧ボタン２ｂがタッチされたことを検出したと判断した場合には、ステップＳ１２０へ進む。ステップＳ１２０では、図７で上述したメモ一覧画面をモニタ１０６上に表示して、ステップＳ１３０へ進む。
【００１９】
ステップＳ１３０では、メモ一覧画面上で使用者によって削除ボタン７ｃがタッチされたことを検出したか否かを判断する。使用者によって削除ボタン７ｃがタッチされたことを検出しないと判断した場合には、後述するステップＳ１５０へ進む。一方、使用者によって削除ボタン７ｃがタッチされたことを検出したと判断した場合には、ステップＳ１４０へ進む。ステップＳ１４０では、タッチされたボタンに対応するメモのメモデータをメモリ１０７から削除し、メモ一覧画面上から消去する。その後、ステップＳ１５０へ進む。
【００２０】
ステップＳ１５０では、メモ一覧画面上で使用者によって地図表示ボタン７ｂがタッチされたことを検出したか否かを判断する。使用者によって地図表示ボタン７ｂがタッチされたことを検出しないと判断した場合には、ステップＳ１３０に戻って処理を繰り返す。一方、使用者によって地図表示ボタン７ｂがタッチされたことを検出したと判断した場合には、ステップＳ１６０へ進む。ステップＳ１６０では、タッチされたボタンに対応するメモの代表点の緯度経度情報に基づいて、その地点を含む範囲の地図を地図ディスク１０４ａから読み込み、代表点と、その緯度および経度が同一の地図上の地点とが一致するようにメモ４ａを重畳してモニタ１０６に表示する。その後、ステップＳ１７０へ進む。
【００２１】
ステップＳ１７０では、ナビゲーション装置１００を搭載した車両のイグニションスイッチがオフされたことにより、ナビゲーション装置１００の電源がオフされたか否かを判断する。ナビゲーション装置１００の電源がオフされないと判断した場合には、上述したステップＳ３０へ戻って処理を続行する。これに対して、ナビゲーション装置１００の電源がオフされたと判断した場合には、処理を終了する。
【００２２】
以上説明した本実施の形態によれば、以下のような作用効果を得ることができる。
（１）使用者によって地図上に描画されたメモをメモリ１０７に記憶しておき、メモ一覧画面上で一覧表示するようにした。これによって、使用者は過去に描画したメモをメモ一覧画面上で確認することができる。
【００２３】
（２）使用者によって地図上に描画されたメモを上述した地点情報と対応付けてメモデータとしてメモリ１０７に記憶しておき、メモ一覧画面上で地図表示ボタン７ｂがタッチされたことを検出すると、タッチされたボタンに対応するメモの代表点の緯度経度情報に基づいて、その地点を含む範囲の地図を地図ディスク１０４ａから読み込み、代表点と、その緯度および経度が同一の地図上の地点とが一致するように地図上にメモ４ａを重畳して表示するようにした。これによって、使用者が描画したメモ４ａを、描画した地点上に復元して表示することができる。
【００２４】
（３）また、メモ一覧画面上で使用者によって削除ボタン７ｃがタッチされたことを検出すると、タッチされたボタンに対応するメモのメモデータをメモリ１０７から削除し、メモ一覧画面上から消去するようにした。これによって、使用者は不要となったメモを自由に削除することができる。
【００２５】
（４）メモ一覧画面を表示するに当たっては、ＧＰＳユニット１０２によって検出された自車両の現在位置と、メモデータに含まれるメモ４ｂが描画された地図上の地点の緯度経度情報とに基づいて、自車両の現在位置から近いメモが上になるようにソートしてメモを一覧表示するようにした。これによって、運転者は自車両の現在位置から近い位置に描画されたメモを閲覧する可能性が高いことを考慮して画面表示を行うことができ、使用者にとっての利便性が向上する。
【００２６】
―変形例―
なお、上述した実施の形態のナビゲーション装置は、以下のように変形することもできる。
（１）上述した実施の形態では、メモ範囲５ａの左上の点５ｂを代表点として、当該代表点の緯度経度情報を画像データと対応付けてメモリ１０７に記憶する例について説明した。しかし、これに限定されず、メモ範囲５ａ上のその他の１点を代表点として設定してもよい。また、代表点は１点に限定されず、複数の点、例えばメモ範囲５ａの４隅の点としてもよい。
【００２７】
（２）上述した実施の形態では、図６に示したようにメモリ１０７に記憶するメモデータ内にメモ範囲５ａの画像データそのものを含める例について説明した。しかし、これに限定されず、メモデータ内には画像データのファイル名のみを記憶し、画像データそのものはメモリ１０７内に別途画像データベースを設けてそこに記憶してもよい。また、図６に示すデータベース構造に限定されず、その他のデータベース構造によりメモデータを管理してもよい。
【００２８】
（３）上述した実施の形態では、使用者によってメモ一覧画面上で削除ボタン７ｃがタッチされたことを検出した場合に、タッチされたボタンに対応するメモを一覧画面から消去し、メモのメモデータをメモリ１０７から削除する例について説明した。しかし、これに限定されず、メモリ１０７に記憶されているメモデータを、そのメモが描画された地図上の地点を自車両が過したときに一覧画面から消去し、メモリ１０７から削除してもよい。
【００２９】
具体的には、メモリ１０７に記憶されているメモデータに含まれる緯度経度情報に基づいて、メモデータを自車両の現在位置から近い順にあらかじめソートしておく。そして、自車両の走行中にＧＰＳユニット１０２によって検出される自車両の現在位置と、ソートした結果、先頭となるメモデータの緯度経度情報とを比較して自車両がメモが描画された地図上の地点を通過したか否かを判断し、通過した場合に当該メモを一覧画面から消去し、メモデータをメモリ１０７から削除する。これによって既に通過した地点に関するメモを自動的に削除することができ、メモデータの管理が容易になる。
【００３０】
（４）上述した実施の形態では、メモ一覧画面上で使用者によって削除ボタン７ｃがタッチされたことを検出すると、タッチされたボタンに対応するメモのメモデータをメモリ１０７から削除し、メモ一覧画面上から消去する例について説明した。しかし、これに限定されず、メモリ１０７内のメモデータは保持したまま、タッチされたボタンに対応するメモをメモ一覧画面上から消去してもよい。これによって、現時点では一覧表示が不要でも将来使用する可能性があるメモを、メモリ１０７内に残したまま一覧から消去することができる。
【００３１】
（５）上述した実施の形態では、メモ一覧画面にメモデータに含まれる画像データを縮小したメモアイコン７ａ、その地点名２ｃを一覧表示し、さらに地図表示ボタン７ｂ、および削除ボタン７ｃを表示する例について説明した。しかし、これに限定されず、メモデータに含まれる緯度経度情報も一覧表示するようにしてもよい。
【００３２】
（６）上述した実施の形態では、メモが描画された地点の緯度経度情報、および地点名称を地点情報としてメモデータに含める例について説明したが、これに限定されず、地点名称の代わりに施設名称などのその他の地点を特定する名称を使用してもよい。
【００３３】
（７）上述した実施の形態では、地図表示装置としてナビゲーション装置を使用する場合について説明したが、これに限定されず、例えばパソコンや携帯端末など、その他の地図表示機能を備えタッチパネルを搭載した情報機器としてもよい。
【００３４】
なお、本発明の特徴的な機能を損なわない限り、本発明は、上述した実施の形態における構成に何ら限定されない。
【００３５】
特許請求の範囲の構成要素と実施の形態との対応関係について説明する。ＧＰＳユニット１０２は現在位置検出手段に、制御装置１０５は表示手段、および消去手段に、メモリ１０７は記憶手段に相当する。なお、以上の説明はあくまでも一例であり、発明を解釈する際、上記の実施形態の記載事項と特許請求の範囲の記載事項の対応関係に何ら限定も拘束もされない。
【図面の簡単な説明】
【００３６】
【図１】本実施の形態におけるナビゲーション装置の一実施の形態の構成を示すブロック図である。
【図２】モニタ１０６上に表示される画面の具体例を示す第１の図である。
【図３】モニタ１０６上に表示される画面の具体例を示す第２の図である。
【図４】モニタ１０６上に表示された地図上にメモが描画された場合の具体例を示す図である。
【図５】描画されたメモのメモ範囲の具体例を示す図である。
【図６】メモリ１０７に記憶されるメモデータのデータベース構造を示す図である。
【図７】メモ一覧画面の具体例を示す図である。
【図８】本実施の形態におけるナビゲーション装置１００の動作を示すフローチャートである。
【符号の説明】
【００３７】
１００  ナビゲーション装置
１０１  車速センサ
１０２  ＧＰＳユニット
１０３  ジャイロセンサ
１０４  ディスク読取装置
１０４ａ  地図ディスク
１０５  制御装置
１０６  モニタ
１０６ａ  タッチパネル
１０７  メモリ
【図１】
2006276704.tif 000003
【図２】
2006276704.tif 000004
【図３】
2006276704.tif 000005
【図４】
2006276704.tif 000006
【図５】
2006276704.tif 000007
【図６】
2006276704.tif 000008
【図７】
2006276704.tif 000009
【図８】
2006276704.tif 000010